【事件の表示】
　特願２００３−６４２９１号「全室暖房システム」拒絶査定不服審判事件〔平成１６年９月３０日出願公開、特開２００４−２７１１００号〕について、次のとおり審決する。
【結　論】
　本件審判の請求は、成り立たない。
【理　由】
１．手続の経緯・本願発明
　本願は、平成１５年３月１１日の出願であって、その請求項１に係る発明は、平成２０年７月１４日に手続補正された特許請求の範囲の請求項１に記載された次のとおりのものである。（以下「本願発明」という。）
「外部給排気筒を備えたＦＦ式石油ストーブを１台設置した１階の部屋の前記ストーブの上方の天井面に吸込口を開口し、１階の天井裏に前記吸込口に連通させて送風ファンを取付け、更にこの送風ファンを、１階の天井裏に設置したダクトを介して、一階の他の部屋の天井面に開口した吹出口および２階の部屋の床面に開口した吹出口に接続し、前記ストーブからの温風を、天井面の前記吸込口から送風ファンで吸引して、ダクトを通して１階および２階の各部屋の吹出口から室内に供給して、１台のストーブで全室を暖房することを特徴とする全室暖房システム。」
　
２．引用刊行物
（１）引用刊行物１
　これに対して、当審で通知した拒絶の理由に引用され、本願出願前に頒布された実願昭６０−１５３３８９号（実開昭６２−６２１１５号）のマイクロフイルム（以下「引用刊行物１」という。）には、第１及び２図とともに以下の事項が記載されている。
ア．「（１）暖房室の暖気を外気と熱交換して屋外へ排気する一方、この熱交換により暖められた取入外気を非暖房室に供給して全室暖房を行なうセントラル暖房システムにおいて、前記暖房室から排気される暖気の一部を非暖房室へ直接送気するバイパス通路を設けたことを特徴とするセントラル暖房システム。」（実用新案登録請求の範囲）
イ．「本考案の目的は、暖房室の換気を行うとともに、暖房室の暖気を非暖房室へ効率よく供給し、暖房室と非暖房室との温度差を極力減少させるようにしたセントラル暖房システムを提供することにある。
［問題点を解決するための手段および作用］
　そのため本考案は、暖房室の暖気を外気と熱交換して屋外へ排気する一方、この熱交換により暖められた取入外気を非暖房室に供給して全室暖房を行うセントラル暖房システムにおいて、前記暖房室から排気される暖気の一部を非暖房室へ直接送気するバイパス通路を設けたことを特徴として構成されている。」（明細書第３頁第１９行〜第４頁第１１行）
ウ．「第１図において、家族全員が比較的長時間集まるリビングダイニングルーム等の暖房室１には、ストーブ、ヒータ等の暖房器具２が設置されている。前記暖房室１には、この暖房室１の外壁に設置された熱交換器３に接続された吸気管４が、その吸気口を暖房室１に臨ませて設けられている。この吸気管４の吸気口４Ａには、暖房室１の暖気を吸気管４に強制的に吸気させる吸気フアン６が設けられている。
　・・・（中略）・・・この吸気フアン９により吸入管７を介して取入れられた外気は、前記熱交換器３において、前記暖房室１から吸気される暖気と熱交換された後、送気管１１に送られるようになっている。
　前記送気管１１は、
一階の天井裏等に本管１２が配設され、
　前記暖房室１に配管されている吸気管４の途中と前記送気管１１との間にはバイパス通路としてのバイパス管１９が設けられている。このバイパス管１９は、熱交換器３の通常７０〜８０％熱交換率による温度供給不足を補うためのものであり、このバイパス管１９には、前記吸入された暖気の一部が直接供給され、このバイパス管１９から前記送気管１１に供給された暖気は、前記熱交換器３により熱交換された取入外気と合流した後に送気管１１を介して各非暖房室へ送気され、これにより、前記熱交換の温度供給不足を補うことができるようになつている。」（明細書第５頁第２行〜第７頁第２行）
エ．「暖房室１と非暖房室１６，１７，１８との温度差を極力縮小させることができ、外気あるいは暖房室１と非暖房室１６，１７，１８との温度差による、壁面への結露を発生することがなく、この結露に起因したカビの発生等も有効に防止できるという効果がある。また暖房室１の換気システムを利用して非暖房室１６，１７，１８を暖房するものであるため設備費を安くすることもできる。
　さらに、暖房室１の暖気を利用して非暖房室１６，１７，１８を暖房して全体暖房を行う構成としたから、非暖房室１６，１７，１８へ入室する際に暖房室１との温度差を感じることもなく、従来の温度差による不快感も解消することができる。また、暖房用の熱源は暖房室１に設置された暖房器具２のみでよく、暖房に要するコストも節約することができる。」（明細書第８頁第１９行〜第９頁第１５行）
オ．第１図には、一階の一室である暖房室１において、吸気管４の吸気口４Ａが暖房器具２の上方に設けられ、一階の他室である非暖房室１６の押入れ１４等の床面、二階の非暖房室１７，１８の押入れ１４等の床面に分岐管１３の各開口部が設けられる様子が図示される。
　上記ア．〜エ．の記載事項及びオ．の図示内容を総合すると、引用刊行物１には、以下の発明（以下「引用発明」という。）が記載されていると認められる。
「ストーブである暖房器具２が設置されている一階の暖房室１の前記暖房器具２の上方に、暖房室１に臨ませて吸気管４の吸気口４Ａが設けられ、
暖房室１の暖気を吸気フアン６により吸気管４に強制的に吸気し、
吸気フアン９により取入れられ熱交換器３により暖房室１から吸気される暖気と熱交換された後送気管１１に送られる取入外気と、吸気管４の途中に設けられるバイパス管１９から吸入された暖気の一部が直接供給されて送気管１１に供給された暖気とが合流した後に、
一階の天井裏等に配設された本管１２及びこの本管１２から各室内に暖気を送気する分岐管１３からなる送気管１１を介して、
一階の他室である非暖房室１６及び二階の非暖房室１７，１８の比較的結露の発生し易い押入れ１４等の床面に臨んで設けられる分岐管１３の各開口部に接続され、
暖房室の暖気を、暖房室１に臨ませて設けられた吸気管４の吸気口４Ａより吸気フアン６で強制的に吸気し、吸入された暖気の一部及びその余の吸入された暖気と熱交換された取入外気が合流した後の暖気を送気管１１を通して、一階の他室である非暖房室１６及び二階の非暖房室１７，１８の押入れ１４等の床面に臨んで設けられる分岐管１３の各開口部から送気され、その送気される暖気は、それぞれの非暖房室１６，１７，１８および廊下等を介して暖房室１に還流し、暖房室１の暖気を利用して非暖房室１６，１７，１８を暖房して家屋内全体暖房を行うことで、
暖房室１と非暖房室１６，１７，１８との温度差を極力縮小させることができ、外気あるいは暖房室１と非暖房室１６，１７，１８との温度差による、壁面への結露を発生することがなく、カビの発生等も有効に防止でき、暖房室１の換気システムを利用して非暖房室１６，１７，１８を暖房するものであるため設備費を安くすることもでき、暖房用の熱源は暖房室１に設置された暖房器具２のみでよく、暖房に要するコストも節約することができる、
家屋内全体暖房を行うセントラル暖房システム。」
　
（２）引用刊行物２
　同じく引用され、本願出願前に頒布された特開昭６４−５７０５１号公報（以下「引用刊行物２」という。）には、第１〜１７図とともに以下の事項が記載されている。
ア．「３．上記温風暖房装置からのダクト２１Ｂは建物１６の天井裏１６Ａを利用して、居間１６Ｂ、寝室１６Ｃ、子供部屋１６Ｄ、和室１６Ｅなどに連通せしめるに際して１階の部屋では天井より室内に開口させると共に、２階の部屋では床面より室内に開口させ、各室内に入った温風は仕切りかべの下方に設けたガランなどを介して、上記エアーフィルター６へと循環するようにした特許請求の範囲第１項あるいは第２項記載の熱交換換気機能を有する温風暖房装置。」（特許請求の範囲第３項）
イ．「２１は上方室５の上面に連設された送風用のダクト部で、ケース２１Ａの側壁部に、適数本のダクト２１Ｂを連通させて構成されている。
　そこで、ダクト２１Ｂは第１５図ないし第１７図を参照して、建物１６の天井裏１６Ａを利用して、居間１６Ｂ、寝室１６Ｃ、子供部屋１６Ｄ、和室１６Ｅなどに連通せしめる。
　この場合、１階の部屋では天井より室内に開口させると共に、２階の部屋では床面より室内に開口させるとよい。各室内に入った温風は仕切りかべの下方に設けたガランを介して、上記エアーフィルター６へと循環することになる。
　１６Ｆは廊下１階段、ホールなど、１６Ｇは送風ファンである。」（第７頁右上欄第１７行〜左下欄第１３行）
　
（３）引用刊行物３
　同じく引用され、本願出願前に頒布された実公昭５２−３８９０号公報（以下「引用刊行物３」という。）には、第１〜３図とともに以下の事項が記載されている。
ア．「本考案はその暖気を暖房装置に隣接する暖房装置のない部屋の天井に近いところから下方に送風させてその部屋内に空気循環を起させ、部屋内の暖房を計るようにすることを目的とする。」（第１頁左欄第２６〜２９行）
イ．「なお、外枠６は吸い込みロ７が暖房機５のある部屋２に、吐出口８が暖房機５のない部屋３に臨むように、かつ吐出口８は部屋３の床面に向くようにして設置される。
　以上の構成において、暖房機５で部屋２内の気温は高められる。暖められた空気は部屋２の天井附近に溜まる。室内空気循環機の貫流フアン１０を電動機９にて回わすと、天井附近の高温の空気は吸い込み口７から吸引され、吐出口８から部屋３の床面側に送風される。そしてこの送風された高温の空気は床面にあたり、部屋３内を循環し、部屋３の気温を高める。
　以上のようにして暖房機５のない部屋３の気温は上げられるのである。・・・（中略）・・・また室内空気循環器は壁に埋設されるので室内循環器は部屋３に突出する部分が少なく部屋３の体裁を損ねない。」（第１頁右欄第７〜２６行）
ウ．「以上の如く、本考案によれば、暖房機のある部屋の天井に溜っている不要の暖気を利用できるので暖房費の節約になる。」（第１頁右欄第３１〜３３行）
　
（４）引用刊行物４
　同じく引用され、本願出願前に頒布された特開昭６０−２０７８４４号公報（以下「引用刊行物４」という。）には、第１〜３図とともに以下の事項が記載されている。
ア．「最近の一般住宅等ではLDK（リビングダイニングキツチン）をワンルームのように居住して暖房を行ない、起きているときの生活の大部分をこのLDKで過ごしている。・・・（中略）・・・また、LDKおよびLDK以外の寝室や押入れ等の全てを夫々別個かつ同時に暖房したのでは暖房経費が甚大となり効率が悪い。
［発明の目的］
　本発明の目的は、効率の良い暖房を行いながら、建物全体の快適な居住環境を維持することのできる空調換気設備を提供することにある。
［発明の構成］
　そのため、本発明は、LDKのように高温多湿の仕切空間の排気流を取入外気と熱交換器にて熱交換させた後に屋外へと排気させ、一方、前記熱交換器にて暖められた取入外気を前記LDK等の高温多湿の仕切空間とは別個の例えば寝室や押入れ等の低温の仕切空間内に一旦導入し、その後、この低温の仕切空間から前記高温多湿の仕切空間へと導入するようにして前記低温の仕切空間の温度を上げるとともに湿度を下げてその結露を防ぎ、また、建物全体の換気経路をこのように明確にさせて高温多湿の仕切空間の汚染された空気が低温の仕切空間へと流入してしまうことのないようにして前記目的を達成しようとするものである。なお、ここでいう仕切空間とは台所、食事室、居間、居室、寝室、浴室、トイレ等の人の出入りする空間にかぎらず、押入れ、小屋裏等の人の出入しない空間も含むものである。」（第１頁右欄第１０行〜第２頁右上欄第６行）
イ．「第１図には本発明に係る空調換気設備の一実施例が適用される一般住宅等の建物の全体が示され、この建物は第１、第２、第３、第４の仕切空間１，２，３，４を有し、また、小屋裏５には熱交換器６が配置されている。
　前記第１の仕切空間１は、例えばLDKのような高温多湿の仕切空間であり・・・（中略）・・・汚染の発生源である。また、前記第２の仕切空間２は第１の仕切空間１と隣接する寝室や押入れ等の低温の仕切空間であり、前記第３の仕切空間３はトイレ、洗面所等の汚染の発生源であり、前記第４の仕切空間４は浴室等である。
　第１および第３の仕切空間１および３の排気流は排気ダクト７を介して熱交換器６に導入され、これら排気流は熱交換器６において取入外気と熱交換された後排気ダクト８を介して屋外へと排気されるようになつている。一方、取入外気は吸込ダクト９を介して熱交換器６に導入され、この吸込ダクト９の吸込口は小屋裏５内に配置され、また、小屋裏５には小屋裏換気口１１が設けられている。熱交換器６において暖められた取入外気は給気ダクト１２を介して第２の仕切空間２に一旦導入され、この第２の仕切空間２から通気口１３および通気口１４を通過して前記第１の仕切空間１および第３の仕切空間３に夫々導入されるようになつている。
  第１の仕切空間１と第２の仕切空間２とを連通する通気口１３には、第２図にも拡大して示されるように、フアンコイル型の放熱器１５が備えられている。この放熱器１５はボイラー等の熱源から温水等の熱媒体が循環供給されるコイル１６と、第１の仕切空間１側に配置されたフアン１７とを備え、フアン１７によりコイル１６に第１の仕切空間１内の循環空気および第２の仕切空間２からの導入空気が共に導入されて暖められた後に第１の仕切空間１内へと吹き出されるようになつている。」（第２頁右上欄第１０行〜右下欄第７行）
ウ．第１図には、熱交換器６、排気ダクト７、排気ダクト８、吸込ダクト９及び給気ダクト１２をすべて小屋裏５に配置すること、また排気ダクト７及び給気ダクト１２を天井面に開口させることが図示される。
　
（５）引用刊行物５
　同じく引用され、本願出願前に頒布された特開昭５９−６９６３２号公報（以下「引用刊行物５」という。）には、第１〜３図とともに以下の事項が記載されている。
ア．「この発明は上記の欠点を除去し、設備が低廉で暖房効果の良好な暖房方法および暖房装置を提供することを目的とするものである。
　この発明は、南側の居室の開口部から受ける太陽熱によって室温が一定の温度に上昇するとこの暖かい空気を送風ファンで北側の居室に送風することによって暖房する方法および暖房装置にかかるものである。」（第１頁右欄末行〜第２頁左上欄第７行）
イ．「第２図に示すように南側の居室１の上部の天井１０に沿ってダクト１１が廊下９の天井１０を通って北側の居室３まで延びており、その中間部のダクト１１内に送風ファン１２が設けられており、かつ、ダクト１１は居室１の南端附近、居室３の南端部壁面および居室５り中央部壁面にそれぞれ開口１１ａ 、１１ｂおよび１１ｃを有している。」（第２頁左上欄第１６行〜右上欄第３行）
ウ．「室温が上昇して２０℃に達したとき送風ファン１２が回転してダクト１１の開口１１ａから南側の居室１内の暖かい空気を失印Ａのように吸引して開口１ｂおよび１ｃから北側の居室３および４へ矢印ＢおよびＣのように吹出すため北側の居室３および４の温度は次第に上昇に転じ２５℃程度まで達する。」（第２頁右上欄第１８行〜左下欄第５行）
エ．第２図には、南側の居室１の上部の天井１０に沿ったダクト１１に開口１１ａが設けられ、開口１１ａは南側の居室１の上部の天井付近にある様子が図示される。
　
（６）引用刊行物６
　同じく引用され、本願出願前に頒布された特開平５−１２６４１２号公報（以下「引用刊行物６」という。）には、図１〜７とともに以下の事項が記載されている。
ア．「ハンドリングボックス５の・・・（中略）・・・逆流防止ダンパー６の流入側は天井等で吸込口２３により室内に開口する循環用ダクト２２にも接続され・・・（中略）・・・た。」（段落【００２０】）
イ．「ハンドリングボックス５は屋根裏空間などに設置する」（段落【００２７】）
ウ．「夜間等冬の非集熱時には図５に示すように、逆流防止ダンパー６は棟ダクト４へ連結する接続口３０を閉じ、循環用ダクト２２の接続口３１を開く。この状態でファン７を駆動すれば、室内の空気が吸込口２３より循環用ダクト２２を介してハンドリングボックス５に入り、該ハンドリングボックス５から立下りダクト１０内を流下し、蓄熱土間コンクリート１１と床パネル１２との間の空気流通空間１３へ入り、蓄熱土間コンクリート１１が放熱する熱で加温されて吹出口１４から温風として室内へ吹出され、再度吸込口２３に入る循環を繰り返す。この場合は給湯コイル１５でのお湯採りは行わない。なお、この蓄熱土間コンクリート１１の放熱だけでは熱量が不足の場合は補助暖房装置としてファンベクター２１を作動させる。」（段落【００２９】）
エ．図３にはハンドリングボックス５とともに天井で室内に開口する吸込口２３に接続される循環用ダクト２２も屋根裏空間に配置され、天井面には吸込口２３のみが開口する様子が図示される。
　
３．対比・判断
　本願発明と引用発明とを対比すると、後者の「ストーブである暖房器具２が設置されている一階の暖房室１」は、その機能・構造からみて、前者の「ストーブを１台設置した１階の部屋」に相当し、以下同様に、
後者の「吸気管４の吸気口４Ａ」は前者の「吸込口」に、
後者の「暖房室１に臨ませて吸気管４の吸気口４Ａが設けられ」る態様は前者の「吸込口を開口」する態様に、
後者の「一階の天井裏等に配設された本管１２」は前者の「１階の天井裏に設置したダクト」に、
後者の「一階の他室である非暖房室１６」は前者の「一階の他の部屋」に、
後者の「二階の非暖房室１７，１８」は前者の「２階の部屋」に、
後者の「床面に臨んで設けられる分岐管１３の各開口部」は前者の「開口した吹出口]及び「床面に開口した吹出口」に、
後者の「暖房室１に臨ませて設けられた吸気管４の吸気口４Ａより吸気フアン６で強制的に吸気」る態様は前者の「吸込口から送風ファンで吸引」する態様に、
後者の「その送気される暖気は、それぞれの非暖房室１６，１７，１８および廊下等を介して暖房室１に還流し、暖房室１の暖気を利用して非暖房室１６，１７，１８を暖房して家屋内全体暖房を行うことで、」「暖房用の熱源は暖房室１に設置された暖房器具２のみでよく、暖房に要するコストも節約することができる」は前者の「１台のストーブで全室を暖房する」に、
後者の「家屋内全体暖房を行うセントラル暖房システム」は前者の「全室暖房システム」にそれぞれ相当する。
　また、後者の「暖気を送気管１１を通して、一階の他室である非暖房室１６及び二階の非暖房室１７，１８の押入れ１４等の床面に臨んで設けられる分岐管１３の各開口部から送気」する構成は、各開口部が、送気管１１の本管１２から各室内に暖気を送気する分岐管１３に設けられ、押入れ１４等の床面に臨んで設けられるものの、前者の「ダクトを通して１階および２階の各部屋の吹出口から室内に供給」する構成に対応している。
　そうすると、両者は、
「ストーブを１台設置した１階の部屋に吸込口を開口し、
１階の天井裏に設置したダクトを介して、一階の他の部屋に開口した吹出口および２階の部屋の床面に開口した吹出口に接続し、
前記吸込口から送風ファンで吸引して、
ダクトを通して１階および２階の各部屋の吹出口から室内に供給して、
１台のストーブで全室を暖房する全室暖房システム。」である点で一致し、以下の点で相違しているものと認められる。
　
相違点Ａ：ストーブに関して、本願発明が「外部給排気筒を備えたＦＦ式石油ストーブ」であるのに対して、引用発明はどのようなストーブか不明である点。
相違点Ｂ：吸込口に関して、本願発明が「ストーブの上方の天井面に」開口し、「前記ストーブからの温風を、天井面の前記吸込口から送風ファンで吸引」するのに対して、引用発明は、「暖房室１の前記暖房器具２の上方に、暖房室１に臨ませて吸気管４の吸気口４Ａが設けられ、」「暖房室の暖気を、暖房室１に臨ませて設けられた吸気管４の吸気口４Ａより吸気フアン６で強制的に吸気」するものである点。
相違点Ｃ：本願発明が「送風ファンを、１階の天井裏に設置したダクトを介して、一階の他の部屋の天井面に開口した吹出口および２階の部屋の床面に開口した吹出口に接続し、」「前記ストーブからの温風を、」「ダクトを通して１階および２階の各部屋の吹出口から室内に供給して」いるのに対して、引用発明は「吸気フアン９により取入れられ熱交換器３により暖房室１から吸気される暖気と熱交換された後送気管１１に送られる取入外気と、吸気管４の途中に設けられるバイパス管１９から吸入された暖気の一部が直接供給されて送気管１１に供給された暖気とが合流した後に、
一階の天井裏等に配設された本管１２及びこの本管１２から各室内に暖気を送気する分岐管１３からなる送気管１１を介して、
一階の他室である非暖房室１６及び二階の非暖房室１７，１８の比較的結露の発生し易い押入れ１４等の床面に臨んで設けられる分岐管１３の各開口部に接続され、」
「暖房室の暖気を、暖房室１に臨ませて設けられた吸気管４の吸気口４Ａより吸気フアン６で強制的に吸気し、吸入された暖気の一部及びその余の吸入された暖気と熱交換された取入外気が合流した後の暖気を送気管１１を通して、一階の他室である非暖房室１６及び二階の非暖房室１７，１８の押入れ１４等の床面に臨んで設けられる分岐管１３の各開口部から送気され、その送気される暖気は、それぞれの非暖房室１６，１７，１８および廊下等を介して暖房室１に還流し、暖房室１の暖気を利用して非暖房室１６，１７，１８を暖房して家屋内全体暖房を行う」ものである点。
相違点Ｄ：送風ファンに関して、本願発明が「１階の天井裏に前記吸込口に連通させて」「取付け」られるのに対して、引用発明はそうではない点。
　
　そこで、上記相違点について検討する。
（１）相違点Ａについて
　外部給排気筒を備えたＦＦ式石油ストーブは、例えば、実願昭６１−６７８２６号（実開昭６２−１８０２３６号）のマイクロフイルム等にも示されるように、ストーブとして従来周知のものである。そうすると、引用発明におけるストーブとして周知の外部給排気筒を備えたＦＦ式石油ストーブを用いることは当業者が容易になし得たことである。そして、ＦＦ式石油ストーブが室内空気を汚さないことも周知であって、そのことによる格別の効果もない。
　
（２）相違点Ｂについて
　引用発明の吸気口４Ａは、ストーブである暖房器具２が設置されている一階の暖房室１の暖気を吸気フアン６により吸気管４に強制的に吸気するものであって、暖房器具２の上方に、暖房室１に臨ませて設けられるものである。
　一方、暖房された部屋の暖気を吸気するために、その吸気口を天井面に設けることは引用刊行物４に示されており、さらに引用刊行物３には暖房装置のある部屋の暖気で、隣接する部屋暖房するにあたり、天井附近に溜っている不要の暖気を、天井に近い吸い込み口７から吸引することが示され、引用刊行物５でも、南側の居室内の暖かい空気を、南側の居室の上部の天井付近にある開口から吸引することが示されているように、暖かい部屋の暖気を利用するにあたり天井に溜まる暖気を用いようとすることが当業者にとって通常なす程度のことであるから、引用刊行物４に記載される事項に倣って、引用発明の吸気口４Ａを天井面に設けることは当業者が容易になし得たことといえる。
　そして、引用発明の吸気口４Ａは暖房器具２の上方に設けられて暖房室１の暖気を吸気するものでもあり、吸気口４Ａを天井面に設けるにあたり、よりよく暖気を吸気できるように、引用発明と同様に暖房器具の上方とすることも当業者が必要に応じて適宜なし得た設計的事項といえる。
　また、ストーブである暖房器具２が設置されている暖房室１の暖気を吸気するものであるから、本願発明と同様に、ストーブの温風を吸気するものといえる。
　したがって、相違点Ｂに係る本願発明の構成とすることは、当業者が容易になし得たものといえ、その効果についても格別ではない。
　なお、引用刊行物４は天井面の吸気口が小屋裏５内に配置される排気ダクト７に接続されるものでもある。
　
（３）相違点Ｃについて
ア．熱交換せずに、ストーブからの温風を、各部屋の吹出口から室内に供給することについて
　引用発明は主に「吸気フアン９により取入れられ熱交換器３により暖房室１から吸気される暖気と熱交換された後送気管１１に送られる取入外気」を非暖房室１６，１７，１８に送るものであって、その送気される暖気は、それぞれの非暖房室１６，１７，１８および廊下等を介して暖房室１に還流し、暖房室１の暖気を利用して非暖房室１６，１７，１８を暖房して家屋内全体暖房を行って、暖房室１と非暖房室１６，１７，１８との温度差を極力縮小させることができ、暖房用の熱源は暖房室１に設置された暖房器具２のみでよく、暖房に要するコストも節約することができるものである。
　一方、熱交換せずに、単に、暖房された或いは暖かい部屋の暖気を他の部屋に送って、暖房しようとすることは、例えば、引用刊行物３及び５に示されるように周知であり、引用刊行物５は２．（５）ア．で摘示するように設備を低廉とすることが記載されている。引用発明においても設備費を安くすることが示唆されている。
　そうすると、引用発明において、設備費を安くするべく、従来周知の、熱交換せずに暖房室の暖気を非暖房室に送気するようなすことは、当業者が容易になし得たことといえる。
　熱交換される換気によらなくても、暖房室による暖気によって家屋内全体暖房ができること、さらに効果が落ちるとしても結露が抑制できることも当業者にとって自明であって、上記のようになすことが格別の困難性を要したこととはいえない。なお、第２図の従来技術として自然対流でストーブの暖気により全体的な暖房を行うことも示されており、また、バイパス管１９により送られる暖気は熱交換されるものではない。
　
イ．１階の天井裏に設置したダクト及び各吹出口について
　引用刊行物２には、天井裏１６Ａに設けられた温風暖房装置からのダクト２１Ｂが、１階の部屋では天井より室内に開口すると共に、２階の部屋では床面より室内に開口して、温風暖房装置から各室内に入った温風は仕切りかべの下方に設けたガランなどを介して、循環することが示されている。
　一方、引用発明は、一階の天井裏等に配設された本管１２及びこの本管１２から各室内に暖気を送気する分岐管１３からなる送気管１１を介して、一階の他室である非暖房室１６及び二階の非暖房室１７，１８の比較的結露の発生し易い押入れ１４等の床面に臨んで設けられる分岐管１３の各開口部より暖気が供給されるものの、同時に、その送気される暖気は、それぞれの非暖房室１６，１７，１８および廊下等を介して暖房室１に還流し、非暖房室１６，１７，１８を暖房して家屋内全体暖房を行うものである。
　そして、非暖房室を暖房するにあたり、比較的結露の発生し易い押入れ１４の床面だけでなく、上記引用刊行物２に記載のダクト及び開口を用いることは、より直接的に部屋に温風を送る方が効果的であり、風圧損も少ないことが当業者に自明であるから、格別の困難性を要することなくなし得たことといえる。
　また、押入れが無い場合や、特段、押し入れ内の結露を考慮せず、非暖房室の暖房のみに着目し、かつ設備を安価とすべく、押入れの床面ではなく、引用刊行物２に記載のダクト及び開口を用いることも当業者にとって容易である。
　引用発明は、送気管１１の一階の天井裏等に配設された本管１２を介して各室内に暖気を送気して、二階建ての家屋内全体暖房するものであって、同じく二階建ての建物を暖房する引用刊行物２の天井裏１６Ａに設けられたダクト２１Ｂを用いることは格別ではない。
　
　したがって、相違点Ｃに係る本願発明の構成とすることは当業者が容易になし得たことといえ、そのことによる格別の効果もない。
　
（４）相違点Ｄについて
　引用発明の吸気管４の吸気口４Ａより強制的に吸気することについて、そのファンを吸気口に続くダクトに設けることは上記引用刊行物５や６に示されており、当業者が適宜なし得た設計的事項といえる。また、吸気口に連通するダクト及びそれに続く熱交換器やファン等の機器を天井裏に配置することも、引用刊行物４や６に示されるように、当業者にとって通常行うことといえる。特に、上記（２）で述べたように、吸気口を天井面に設けるとき、それに続くダクトや機器をその天井裏に設けることは当業者であれば通常なす程度のことといえる。
　突出する部分を少なくして体裁を良くすることが２．（３）イ．にも記載されているように、体裁を良くしようとすることは当業者が通常考慮することであることからも、上記のように天井面に吸気口を設け、これに接続されるダクトを天井裏に設け、強制的に吸気するためのファンもダクトとともに天井裏に配設することは当業者が容易になし得たことといわざるを得ない。
　引用発明は二階建ての家屋の一階の暖房室１に吸気管４の吸気口４Ａが設けられ、一階の天井裏に配管された本管を有するものであって、上記天井裏は必然的に二階建ての家屋の一階の天井裏である。
　
　したがって、相違点Ｄに係る本願発明の構成とすることも当業者が容易になし得たことといえ、そのことによる格別の効果もない。
　
　そして、上記相違点Ａ〜Ｄを合わせみても、本願発明の効果が格別であるとはいえない。
　
　よって、本願発明は、引用発明、引用刊行物２〜６に記載の事項及び周知の事項に基づいて、当業者が容易に発明をすることができたものといえる。
　
４．むすび
　以上のように、本願発明は、引用発明、引用刊行物２〜６に記載の事項及び周知の事項に基づいて、当業者が容易に発明をすることができたものであるから、特許法第２９条第２項の規定により特許を受けることができない。
　よって、結論のとおり審決する。